(57)【要約】      （修正有）【課題】修正液を撹拌することによって修正液の均一性が向上するとともに、使用時にペン先が塞がってしまう問題を軽減できる修正液の撹拌体構造を提供する。【解決手段】修正液２は容器３の内部に格納していて、係る容器は液体吐出キャップ４を取り付けるための開口部３１を有し、かつ係る開口部が容器の中心軸線に位置し、開口部の縁部から容器に延在する距離をＨとし、撹拌体構造は、本体１１と、その前方区域の第１案内面１２１と、後方区域の第２案内面１２２と、縁部から本体の中心線との間に段差Ｄを有しＤ≧Ｈを成立する本体の端部に設ける案内ブロック１２と、を含む。本考案の二段式案内面の設計により、撹拌するときの移動方向をスムーズに誘導し、容器または液体吐出キャップのいかなる場所に引っ掛かることはない、撹拌するときの均一性が向上さると共に、溶質の塞がり問題を回避できる。【選択図】図２
0003202596.tif 000002
【実用新案登録請求の範囲】
【請求項１】
容器内部に収納される修正液の撹拌体構造であって、
前記容器の内部に修正液が格納され、前記容器は液体吐出キャップを取り付けるための開口部を有し、かつ前記開口部は前記容器の中心軸線上に位置しており、前記開口部の縁部から前記容器の縁部までの距離をＨとし、
前記撹拌体構造が、
本体と、
前記本体の一端部に取り付けられ、その前方区域が第１案内面を有し、その後方区域が第２案内面を有し、前記第１案内面と前記第２案内面とがそれぞれ異なる傾斜度または曲率を有し、最端部から前記本体の中心軸線までの間に段差Ｄを有し、かつＤ≧Ｈの関係が成立している方向案内ブロックと、を含み、
前記案内ブロックが二段式案内面を備えた設計であることにより、撹拌するときに重力または動力作用によりスムーズに移動方向を案内することができ、前記容器または前記液体吐出キャップのいかなる場所にも引っ掛かかることがなく、撹拌された修正液の均一性を向上できることを特徴とする、修正液の撹拌体構造。
【請求項２】
前記第２案内面に少なくとも一つの第１貫通孔を設け、
前記第１貫通孔が前記第２案内面を貫いており、前記修正液を撹拌するときに、前記第１貫通孔によって、修正液の流れの滑らかさを向上できることを特徴とする、請求項１記載の修正液の撹拌体構造。
【請求項３】
前記第２案内面に少なくとも一つの凹み溝を設け、
前記凹み溝が前記案内ブロックの表面に位置し、前記修正液を撹拌するときに、前記凹み溝によって、修正液の流れの滑らかさを向上できることを特徴とする、請求項１記載の修正液の撹拌体構造。
【請求項４】
前記本体の中心軸線上に第２貫通孔を設け、
前記第２貫通孔が前記案内ブロックと、前記本体とを貫いており、前記修正液を撹拌するときに、前記第２貫通孔によって、修正液の流れの滑らかさを向上できることを特徴とする、請求項１記載の修正液の撹拌体構造。
【請求項５】
前記本体表面の径方向に複数の第３貫通孔を設け、
前記修正液を撹拌するときに、前記第３貫通孔によって、修正液の流れの滑らかさを向上できることを特徴とする、請求項１記載の修正液の撹拌体構造。
【請求項６】
前記本体が可動状態で前記案内ブロックの平面側に取り付けられていることを特徴とする、請求項１記載の修正液の撹拌体構造。
【請求項７】
前記本体と前記案内ブロックとを合わせた長さが前記容器の幅より大きいことを特徴とする、請求項１記載の修正液の撹拌体構造。
【請求項８】
前記第１案内面の形状は、弧面、曲面または錐面のいずれかの一つより選択され、かつ前記第２案内面の形状も同じく弧面、曲面または錐面のいずれかの一つより選択されることを特徴とする、請求項１記載の修正液の撹拌体構造。
【請求項９】
前記第１案内面と前記第２案内面とは間隔をあけて取り付けられることを特徴とする、請求項１記載の修正液の撹拌体構造。
【請求項１０】
前記第１案内面と前記第２案内面とは連続して取り付けられることを特徴とする、請求項１記載の修正液の撹拌体構造。
【考案の詳細な説明】
【技術分野】
【０００１】
本考案は文字修正具に関し、特に修正液を撹拌することによって修正液の均一性を向上するとともに、使用時にペン先が塞がってしまう問題を軽減できる修正液の撹拌体構造に関する。
【背景技術】
【０００２】
よく見かけるボールペン、万年筆、インキペーン等の筆記具は、いったん書き込むと、インクが紙の繊維に染み込むため、消しゴムで修正することができない。そのため、修正テープまたは修正液等の修正具を使用し、書き間違いの修正が行われている。それらのうち、修正液は現在よく見かける便利な修正方式である。これは、主に白色修正液を書き間違えた文字の上を覆うように塗り、溶液が乾燥すると白色のフィルムとなり、書き間違えた文字が塗りつぶされて目的を達成するものであり、その白色フィルムの上に正しい文字を上書きすることにより、書き間違いの修正効果を実現する。
【０００３】
現在、修正液の製品は、独立した容器に白色修正液を充填している。一般の白色修正液は、白色顔料の溶質を混合して高速な揮発性を有する溶液へ均一に分散されている。一方、溶質（塗りつぶす効果を有する固体成分）の比重は溶液に比べて重いため、使用していない時に沈殿してしまい、均一に分散した状態の維持が難しい。そのため、ほとんどの修正液は容器に金属棒材または金属ボール体などの撹拌体を取り付けられ、使用前に容器を振って金属棒材または金属ボール体を溶液中で往復移動させ、溶液と溶質を撹拌する効果を生じさせることにより、溶質を溶液へ均一に分散させ、塗りつぶすときに厚さが不均一になるという欠点を回避できる。
【考案の概要】
【考案が解決しようとする課題】
【０００４】
各種の特許文献において、それらの撹拌体は丸棒体やボール体であったりするほか、金属棒材を揺り動かすように使用して同じ撹拌効果を達成しようとするものも見受けられる。しかしながら、以上に掲げた撹拌体による撹拌は容器形状によって制限を受けることがある。つまり、容器内を撹拌体が移動するときに死角ができてしまい、それらの死角が容器と液体吐出キャップの接合場所に存在することになり得る。さらに、液体吐出キャップは容器に対して開口部が小さいため、容器の開口部に段差を形成してしまい、その段差が、場合によっては、丸棒型または線材型の撹拌体に引っ掛かり、撹拌体を液体吐出キャップの内部に伸ばして撹拌することができなくなることがある。溶質が液体吐出キャップの内部に滞留し、時間を経過すると、滑らかな修正液の吐出に影響し、ひどいときは吐出口が塞がってしまい、修正液が吐出されない苦境に陥ることがあるため、改良が求められている。
【課題を解決するための手段】
【０００５】
本考案は、撹拌体の先端部を、二段式案内面を備えた設計にすることにより、揺動撹拌するときに容器内部の死角に引っ掛かって撹拌が不均一となる問題が生じることがなく、公知の撹拌体の欠点を徹底的に解消し、白色修正液内部の溶質を均一に分散させ、使用するときの流動性と塗布効果を確保できる、修正液の撹拌体構造を提供することを目的とする。
【０００６】
前述目的を達成するため、本考案は以下の修正液の撹拌体構造を提供する。修正液の撹拌体構造は容器内部に収納され、前記容器の内部に修正液が格納され、前記容器は液体吐出キャップを取り付けるための開口部を有し、かつ前記開口部は前記容器の中心軸線上に位置しており、前記開口部の縁部から前記容器の縁部までの距離をＨとする。前記撹拌体構造は、本体と、前記本体の一端部に取り付けられ、その前方区域が第１案内面を有し、その後方区域が第２案内面を有し、前記第１案内面と前記第２案内面とがそれぞれ異なる傾斜度または曲率を有し、最端部から前記本体の中心軸線までの間に段差Ｄを有し、かつＤ≧Ｈの関係が成立している方向案内ブロックと、を含む。前記案内ブロックが二段式案内面を備えた設計であることにより、撹拌するときに重力または動力作用によりスムーズに移動方向を案内することができ、前記容器または前記液体吐出キャップのいかなる場所にも引っ掛かかることがなく、撹拌された修正液の均一性を向上できる。
【０００７】
以下に示す各実施例においては、表面または内部に設ける貫通孔あるいは凹み溝等の構造をもって、修正液を撹拌するときに修正液の流れの滑らかさを向上する効果を果たす。一例として、第２案内面に少なくとも一つの第１貫通孔を設けてもよい。第１貫通孔が第２案内面を貫いており、修正液を撹拌するときに、第１貫通孔によって修正液の流れの滑らかさを向上させる。もう一つの例として、第２案内面の表面に少なくとも一つの凹み溝を設けてもよい。凹み溝が案内ブロックの表面に位置しており、修正液を撹拌するときに、凹み溝によって修正液の流れの滑らかさを向上させる。もしくは、本体の中心軸線上に第２貫通孔を設けてもよい。第２貫通孔は案内ブロックと本体とを貫いており、修正液を撹拌するときに、第２貫通孔によって修正液の流れの滑らかさを向上させる。または、本体表面の径方向に複数の第３貫通孔を設けてもよい。修正液を撹拌するときに、第３貫通孔によって修正液の流れの滑らかさを向上させる。
【０００８】
このほか、本体を可動可能に案内ブロックの平面側に取り付けてもよく、先端部の案内ブロックが引っ掛けて動けなくなった時に、後部段の本体が案内ブロックに対して揺動され、同様の撹拌効果を達成して修正液をより均一に撹拌することができるようにしてもよい。
【０００９】
一方、本体と案内ブロックとの合計長さを容器の幅より広くすることにより、撹拌するときに案内ブロックが液体吐出キャップの方向に向かって、撹拌体が撹拌する際に過度にひっくり返ったり、または横向きになったりして容器の内部に引っ掛かり、撹拌効果に影響することはない。さらに、第１案内面の形状を弧面、曲面または錐面のいずれかから選択し、第２案内面の形状も同じく弧面、曲面または錐面のいずれかから選択する、あるいは第１案内面と第２案内面を間隔をあけてもしくは連続して取り付けても、同じように撹拌体を案内して均一に撹拌する効果を達成できる。
【図面の簡単な説明】
【００１０】
【図１】本考案の好ましい実施例の構造を示す図である。
【図２】本考案の好ましい実施例を使用するときの態様図（その１）である。
【図３】本考案の好ましい実施例を使用するときの態様図（その２）である。
【図４】本考案の好ましい実施例によるもう一つの実施態様図（その１）である。
【図５】本考案の好ましい実施例によるもう一つの実施態様図（その２）である。
【図６】本考案の好ましい実施例によるもう一つの実施態様図（その３）である。
【図７】本考案の好ましい実施例によるもう一つの実施態様図（その４）である。
【図８】本考案の好ましい実施例によるもう一つの実施態様図（その５）である。
【考案を実施するための形態】
【００１１】
審査官の方々の本考案の内容のさらなる理解を図るために、以下に本考案の実施例を図面と合わせて説明する。
【実施例】
【００１２】
図１〜８に示す本考案の好ましい実施例における構造態様図と、使用するときの各種態様図を参照する。図に示すとおり、本考案の修正液の撹拌体構造１においては、修正液２が容器３の内部に格納されている。容器３は液体吐出キャップ４を取り付けるための開口部３１を有し、開口部３１が容器３の中心軸線上に位置している。開口部３１の縁部から容器３までの距離をＨとする。撹拌体構造１は本体１１と、案内ブロック１２とを含み、図に示すとおり、かかる本体１１は丸棒状の構造体を形成していて、かつ本体１１の長さは容器３の幅より大きい。案内ブロック１２は、本体１１の一端部に形成されている。案内ブロック１２は二段式の案内面を備えた設計となっており、その前方区域が第１案内面１２１を有し、後方区域が第２案内面１２２を有し、かつ２つの案内面は間隔をあけて、または連続して設置することができる。本実施例においては間隔をあけての設置が実施されている。必要に応じて、２つの案内面が連続に設置された弾頭状の設計も可能である。さらに、第１案内面１２１と、第２案内面１２２とは、例えばそれぞれ弧面、曲面または錐面のいずれかの形状とすることができる。本実施例では、図に示すとおり、第１案内面１２１は弧面であり、係る第２案内面１２２は錐面である。よって、両者ともそれぞれ異なる傾斜度または曲率を有している。さらに、案内面の全長は必要に応じて設計変更し、容器３または液体吐出キャップ４と接触するときの方向案内に用いる。さらに、案内ブロック１２縁部の径が最大となる位置から本体１１の中心線との間には段差Ｄが形成され、Ｄ≧Ｈの関係が成立する。本考案の二段式案内面の設計を適用すれば、撹拌するときの移動方向をスムーズに誘導し、容器または液体吐出キャップのいかなる場所に引っ掛からず、撹拌するときの均一性を向上すると共に、溶質の塞がり問題を回避することができる。
【００１３】
図４に示すとおり、案内ブロック１２には、第２案内面１２２に対応して、第１貫通孔１２３が設けられ、第１貫通孔１２３が案内ブロック１２を貫くことによって、修正液２を撹拌するときにその第１貫通孔１２３によって流れの滑らかさが向上される。図に示すとおり、修正液２が液体吐出キャップ４に向かって移動するとき、修正液２がその表面と第１貫通孔１２３内部を通過し、その流れがより安定し滑らかになるため、より良い撹拌効果が得られる。
【００１４】
図５に示すとおり、案内ブロック１２には、第１案内面１２１と第２案内面１２２に対応して、第１凹み溝１２４が設けられている。第１凹み溝１２４が案内ブロック１２の表面に存在するため、修正液２を撹拌するときに第１凹み溝１２４によって、流れの滑らかさが向上される。図に示すとおり、第１凹み溝１２４の設計は、修正液２が液体吐出キャップ４に向かって移動するとき、修正液２の方向を案内ブロック１２と凹み溝１２４によってガイドするためのものであり、その流れがより安定し滑らかになるため、より良い撹拌効果が得られる。
【００１５】
図６に示すとおり、本体１１の中心軸線には第２貫通孔１２５が設けられ、第２貫通孔１２５が本体１１と案内ブロック１２の先端部を貫くことによって、修正液２を撹拌するときにその第２貫通孔１２５によって、流れの滑らかさが向上される。図に示すとおり、修正液２が液体吐出キャップ４に向かって移動するとき、修正液２が案内ブロック１２の表面と第２貫通孔１２３内部を通過し、その流れがより安定し滑らかになるため、より良い撹拌効果が得られる。
【００１６】
図７に示すとおり、本体１１表面の径方向に複数の第３貫通孔１２６を設け、修正液２を撹拌するときに、それらの第３貫通孔１２６を通過し、流れの滑らかさが向上されると共に、修正液２はそれらの第３貫通孔１２６によって、干渉流による撹拌効果を向上できる。
【００１７】
図８に示すとおり、もう一つの実施例においては、本考案の本体１１を可動方式とすることによって、案内ブロック１２の一面に取り付ける。かかる案内ブロック１２が液体吐出キャップ４に落とし込まれた状態でも、本体１１はなお自在に搖動する状態を維持するため、撹拌効果を向上できる。
【符号の説明】
【００１８】
１  修正液の撹拌体構造
１１  本体
１２  案内ブロック
１２１  第１案内面
１２２  第２案内面
１２３  第１貫通孔
１２４  凹み溝
１２５  第２貫通孔
１２６  第３貫通孔
２  修正液
３  容器
３１  開口部
４  液体吐出キャップ
Ｄ  段差
【図１】
0003202596.tif 000003
【図２】
0003202596.tif 000004
【図３】
0003202596.tif 000005
【図４】
0003202596.tif 000006
【図５】
0003202596.tif 000007
【図６】
0003202596.tif 000008
【図７】
0003202596.tif 000009
【図８】
0003202596.tif 000010